(57)【要約】  収容体（３）の、少なくとも部分的に円筒状の表面で軸線方向に摺動防止された皿ばね（１）が、このような保護をできるだけわずかな手間により保持することができる。このためには、皿ばね（１）の、半径方向に収容体に浮いた縁部が、収容体内に設けられた周方向溝（４）内に係合する。
2006528329.tif 000002
【特許請求の範囲】
【請求項１】
収容体の、少なくとも部分的に円筒状の表面で軸線方向に摺動防止された皿ばねにおいて、皿ばね（１）の、半径方向に収容体（３）に向いた縁部が、該収容体（３）内に設けられた周方向溝（４）内に係合することを特徴とする、収容体の、少なくとも部分的に円筒状の表面で軸線方向に摺動防止された皿ばね。
【請求項２】
皿ばね（１）に作用するあらかじめ規定可能な軸線方向の緊締力までは、周方向溝（４）の底部と、皿ばね（１）の向かい合った縁部との間に遊びが提供されていることを特徴とする、摺動防止された皿ばね。
【請求項３】
皿ばね（１）に作用する緊締力のあらかじめ規定された軸線方向力限界値の超過時に、周方向溝（４）の底部が、皿ばね（１）の向かい合った縁部に接触することを特徴とする、摺動防止された皿ばね。
【請求項４】
皿ばね（１）の、収容体（３）に向いた縁部が、周方向に、半径方向にそれぞれ自由に突出した互いに離隔された複数のばねウェブ（５）に分離されており、これにより、皿ばね（１）の係止のための半径方向の弾性的な運動が可能となる、請求項１から３までのいずれか１項記載の、摺動防止された皿ばね。
【発明の詳細な説明】
【技術分野】
【０００１】
本発明は、収容体の少なくとも部分的に円筒状の表面で軸線方向に摺動防止された皿ばねに関する。
【０００２】
このような形式の公知の装置は、皿ばねと、少なくとも部分的に円筒状の表面を有する収容体のほかに、皿ばねのための、収容体で固定されるべき少なくとも１つの独立した軸線方向のストッパエレメントを有している。皿ばねが、円筒状の表面から半径方向に突出した段部に設けられた端面に接触することができる場合には、唯一のストッパエレメントのみが必要である。円筒状の表面で固定されるべきストッパエレメントとしては、汎用の規格化されたスナップリングを使用することができる。円筒状の表面は、軸の表面又は孔の内周面により形成されていてよい。
【０００３】
本発明の課題は、冒頭で述べた形式の、皿ばねの軸線方向の摺動に対する保護を、できるだけわずかな手間により機能的条件を満たす形式で達成することができるようにすることである。
【０００４】
この課題は、冒頭で述べた形式の摺動に対する保護装置を請求項１に記載の特徴に基づき形成することにより解決される。
【０００５】
有利かつ適宜な構成が、従属請求項の対象である。
【０００６】
本発明は、次のような一般的な思想に基づいており、この思想を説明するためには簡易化のためにまず軸における皿ばねの軸線方向の固定のみを引き合いに出す。基本的には同じ作用原理が孔内で軸線方向に固定される皿ばねについてもいえるが、このような皿ばねでは皿ばねの内縁のための軸固定の場合に述べた内容を意味的に外側の皿ばね縁部にあてはめることができる。
【０００７】
皿ばねが軸線方向にばね弾性的にたわんだ場合には、皿ばねの内径が減少し、かつ皿ばねの外径は増大する。すなわち、皿ばねは、この皿ばねが被せ嵌められることが望ましい軸の直径に対して、力を負荷されていない状態ではより小さい内径を有しており、張力に抗した力の使用下にこの皿ばねが当該軸に摺動された場合には、皿ばねの内縁が周方向溝に到達するやいなや、内縁により軸の周方向溝内に係止せしめられる。
【０００８】
軸の、周方向溝内へのこのような係止により、実質的に既に軸線方向の摺動に対する保護が、軸線方向に両側で付与されている。
【０００９】
このような形式で軸線方向に摺動防止された皿ばねが、凹状の側から対向体に対してばね力を加えることが望ましい場合には、皿ばねの内径は、周方向溝の直径に関して次のように、すなわち、皿ばねの軸線方向のばねストローク（Ｆｅｄｅｒｗｅｇ）全体にわたって、周方向溝の底部と皿ばねの内縁との間にさらに半径方向の遊びが付与されているように設計することができる。あらかじめ規定可能なばね力の超過後にプログレシブなばね力増大が望まれる場合には、直径調整を次のように、すなわち、あらかじめ規定可能な限界値を超過した場合に周方向溝の底部と皿ばねの内縁との間の半径方向の遊びが解除されているように、行うことができる。
【００１０】
皿ばねが正規のばねたわみとは反対方向に変形された場合には内径が拡大されるので皿ばねが係止されることが望ましい周方向溝内にまで皿ばねを対向力なしに軸へ摺動することができる場合には、本発明による軸線方向の摺動に対する保護を簡単に達成することができる。
【００１１】
皿ばねが周方向溝内に係止するために、周方向溝内に係止する前に既に対向体との接触時に緊締されなければならない場合は幾らか異なっている。この場合には、皿ばねは全体的に半径方向に弾性的に伸張することができるか、又は皿ばねの内縁領域が設けられていなければならず、この内縁領域は、皿ばねが周方向溝内に係止する前に軸線方向に弾性的に、同時的に半径方向に拡大されて変形させることができる。
【００１２】
特に最後に述べた用途のためには、皿ばねの内周領域が周方向に、半径方向にそれぞれ自由に突出した、互いに離隔されたばねウェブの形に分離されている（ａｕｆｇｅｌｏｅｓｔ）場合には有利である。この場合にはこれらの半径方向のばねウェブが、係止プロセスのために、このために不可欠な形式で一時的に弾性的に変形することができる。同様に対応したジオメトリ付与時には、皿ばねはばねウェブの領域に係止プロセスのために弾性的に半径方向外側へ逃れることができる。このためには、皿ばね周面の内径と外径との比率ができるだけ１に近く、ばねウェブの間隔が大きいことが望ましい。このことは、皿ばねに設けられるウェブの数を５〜２にまで減じることにより達成することができ、この場合にウェブの数の減少に伴い作用が改善される。もはやばねウェブが２つのみの場合には、皿ばねが周方向溝から側方に滑り出すことが付加的な手段により阻止されなければならない。さらに皿ばねのばねウェブと周面との移行領域はできるだけ挟幅に選択すべきである。皿ばね周面の内径の周における移行領域の割合は、１５％よりも大きくないことが望ましく、できれば１２％よりも小さきか、有利には１０％よりも小さいことさえもが望ましい。
【００１３】
いずれの場合にも、皿ばねが持続的に変形されることなしに、皿ばねが折り曲げられているまでばね弾性的にたわめられ、内径が力を負荷されていない状態で増大することができる場合には皿ばねは特に簡単に周方向溝内に係止することができる。
【００１４】
皿ばねが孔内で軸線方向に摺動に対して保護されている場合には、皿ばねの外周に対応してばねウェブが形成されるべきである。
【００１５】
次に本発明の実施例を図面につき説明する。
【００１６】
図１ａ，図１ｂによる構成では、皿ばね１が、軸線方向に自由に可動のままである対向体１に対して接触することができるか、又は前記皿ばね１を起点としたばね力下に持続的に皿ばね１に接触していることが望ましい対向体２に対して接触することができる。これらの両方の用途は皿ばね１の組付けに関連しては、すなわち、この皿ばね１の軸３への摺動に関しては、皿ばね１をそれぞれ張力がかかっていない状態で摺動に対する保護の位置へ摺動させることができる場合には基本的な相違はいない。対向体２の持続的な接触の場合には、このことは、対向体２が皿ばね１を緊締する前に、まず皿ばね１が摺動に対して保護されて組み付けられているということを意味する。
【００１７】
軸３内の、皿ばね１が軸線方向に位置固定されていることが望ましい領域には周方向溝４が設けられている。 皿ばね１は、内周の領域に周方向に一様に分配された、半径方向に自由に突出した互いに離隔された多数のばねウェブ５を有している。このような形式で構成された内周を有する皿ばね１は、内側にスリットを設けられた皿ばね１と呼ぶこともできる。
【００１８】
図１による両方の用途のために組み付けられた皿ばね１は、一方の場合には、自由に可動な対向体２が皿ばね１に衝突した場合にこの対向体２をばね弾性的に受け止めることができるために働く。他方の場合には、対向体２はばね弾性的に皿ばね１に接触し、この場合には、もちろんまず皿ばね１の接触なしの組付けが可能である。
【００１９】
図２による構成では、対向体６は既に皿ばね１の組付け前に軸線方向に堅固に軸３に結合されており、皿ばね１は組付け後に張力をかけられて前記対向体６に接触することが望ましい。この場合には、皿ばね１はばね張力の構成下に、軸線方向に既にロックされた対向体６に組み付けられなければならない、すなわち、周方向溝４内に係止されなければならない。このような場合には、皿ばね１の緊締時にはこの皿ばね１の内周が縮小されるので、皿ばね１は全体として半径方向に伸張することができるようになっているか、又は皿ばね１の内周領域が、例えば弾性的なばねウェブ５の形で構成されている必要があり、これらのばねウェブ５は、周方向溝４内に係止される前に弾性的に変形することができなければならないか、又は皿ばねが次の程度に、すなわち、皿ばねの内径が再び増大し、皿ばねは軸に沿って内径により前方へ溝内まで摺動され、これにより、そこで内径の減少下に係止する程度に皿ばねは折り返し可能になっていなければならない。
【図面の簡単な説明】
【００２０】
【図１ａ】軸の軸線方向でみて軸で軸線方向に固定された皿ばねの側方横断面図である。
【図１ｂ】軸への摺動前の図１ａによる皿ばねの平面図である。
【図２】ストッパに対して固定される皿ばねを有する軸の長手方向断面図である。
【図１ａ】
2006528329.tif 000003
【図１ｂ】
2006528329.tif 000004
【図２】
2006528329.tif 000005
【国際調査報告】
2006528329.tif 000006
2006528329.tif 000007
2006528329.tif 000008
2006528329.tif 000009
2006528329.tif 000010
2006528329.tif 000011